(57)【要約】【課題】本発明が解決しようとする課題は、カーナビのナビゲーションシステム、車両管理システム、音楽、映像、ＴＶ再生機能をＰＤＡに集約させ、車を利用するときは、ＰＤＡを車にセットすることで、カーナビとして利用し、個人認証システムにより車両のセキュリティ向上を目指すものである。【解決手段】本発明にかかる情報端末機は車両情報端末と携帯情報端末機能を併せもつ、情報端末機において、車両にセットしたときは車両情報端末機として、取外した時は携帯情報端末として使用できる。車両にセットし個人認証機能を利用する事により、盗難防止機能を向上し、車両使用情報は運転者毎に切り替えが可能。車両のリコール情報及び電子制御ソフトの更新情報を取得し、運転者へ通知する。車体の車検及び法令点検などの情報は外部記憶装置に記憶させ、運転者へ通知する。【選択図】図１
2011231532.tif 000002
【特許請求の範囲】
【請求項１】
車両情報端末と携帯情報端末機能を合わせもつ、情報端末機において、車両にセットしたときは車両情報端末機として、取外した時は携帯情報端末として使用できる、情報端末機。
【請求項２】
前記、情報端末機において、車両にセットし個人認証機能を利用し盗難防止になる、情報端末機。
【請求項３】
前記、情報端末機において、車両にセットし個人認証機能を利用し、車両使用情報を運転者ごとに変更可能な情報端末機。
【請求項４】
前記、情報端末機において、車両のリコール情報及び電子制御ソフトの更新情報をマッチングさせ、リコール及び電子制御ソフトの更新情報を運転者に知らせることが出来る情報端末機。
【請求項５】
前記、情報端末機において、車体の車検及び法令点検などの情報を外部記憶装置に記憶させ、運転者が変わっても、情報端末機をセットすることで運転者に知らせることが出来る情報端末機。
【発明の詳細な説明】
【技術分野】
【０００１】
本発明は、車両情報端末の機能と携帯情報端末（以下ＰＤＡという）の機能を合わせ、ＰＤＡに個人認証システム機能を持たせた新しい情報端末機の仕組みに関するものである。
【背景技術】
【０００２】
現在、車両情報端末としてカーナビが開発されている。機能はナビゲーションシステムだけでなく、音楽プレーヤー、ＤＶＤプレーヤー、ＴＶチューナー、車両燃費管理など様々な機能が備わり、多くの人に利用されている。
【０００３】
一方、携帯情報端末機として、ＰＤＡが開発されている。機能は、携帯用簡易パソコンと位置づけられ、メール送受信、メモ帳、スケジュール管理や電話帳機能や、ナビゲーション機能、電話機能が備わっているものがあり、多くの人に利用されている。
【０００４】
しかしながら、ナビゲーションシステムなど同じような機能を持ちながら、別々に利用されており、不便であった。また、車両情報端末においては車上荒らしで盗難されたり、車両自体の盗難も増えている。
【０００５】
車両の管理において、車検情報や法令点検などは現在、書類上の管理だけであった。また、現在の車両は電子制御されているものがほとんどであるが、そのソフトの内容は常時更新されており、特に大きな不具合などは、リコール問題としてよくニュースで流れているが、軽微なソフトの更新などは、使用者側にはわからず、よりよい機能を利用できる機会が失われていた。
【先行技術文献】
【特許文献】
【０００６】
【特許文献１】特開２００５−１７２５６４号公報
【発明の概要】
【発明が解決しようとする課題】
【０００７】
本発明が解決しようとする課題は、車両端末機のカーナビのナビゲーションシステム、車両管理システム、音楽プレーヤー、ＤＶＤプレーヤー、ＴＶチュウナー機能をＰＤＡに集約させ、車を利用するときは、ＰＤＡを車両にセットすることで、従来の車両情報端末として利用し、携帯情報端末の個人認証システムにより車両のセキュリティを向上させ、ＰＤの通信機能を利用しリコール情報や電子制御ソフトの更新情報を受取り車両管理の仕組みを提供する。
【課題を解決するための手段】
【０００８】
本発明に係る、図１ＰＤＡと車両取付け図３ステー及び図４外部記憶装置を図５、図６のように取り付けることにより、ＰＤＡを車両情報端末として使用する。
【発明の効果】
【０００９】
本発明の効果として、車両認証をＰＤＡに持たせて取外し可能とすることにより、車両盗難防止装置として働く。また。カーナビゲーションの盗難などの車上ねらいも防止できる。
【００１０】
個人認証システムとカーナビゲーションのルート設定をＰＤＡに記憶させることにより、運転者が複数いても、それぞれのＰＤＡをセットし、運転者を認証させることで、運転者ごとのナビゲートルートなどの個人設定情報が容易に変更、使用できるようになる。
【００１１】
ＰＤＡの通信機能を使用して、リコール情報、電子制御ソフトの更新情報を受け取り現在の車両管理情報とマッチングさせリコール及び、電子制御ソフトの更新が必要なときは音声や画面でアナウンスすることで、車両の管理が容易にできる。またリコール情報では、一早く情報をお伝えすることが出来るので、使用者の修理を促すことで、リコールによる事故防止にもつながる。
【００１２】
本発明を利用することで車検及び法令点検などを符号３３車両側の外部記憶装置に記憶させることにより、車検及び法令点検などの情報が、音声や画面でアナウンスすることが出来、使用者が変わっても車検及び法令点検など情報を知ることが出来る。
【図面の簡単な説明】
【００１３】
【図１】ＰＤＡ本体正面
【図２】ＰＤＡ本体背面
【図３】車両ステー
【図４】車体記憶装置
【図５】ＰＤＡ・車両ステー結合方法例
【図６】ＰＤＡ・車両ステー結合図
【図７】車両インダッシュ図
【図８】ＰＤＡ・車両取り付け方法
【図９】ＰＤＡ・車両取り付け方法側面断面図
【図１０】ＰＤＡ・車両インダッシュ設置図
【発明を実施するための形態】
【００１４】
本発明を実施するための形態について図を使用して説明する。
【実施例】
【００１５】
図１は代表的なＰＤＡ端末の外観図である。ＰＤＡには通常のメール機能、スケジュール管理機能、電話帳機能などの他、車両管理、音楽再生プレーヤー、ＤＶＤ再生プレーヤーなどのアプリケーションソフトをインストールしておく。また、個人認証機能を持たせる。符号３車両用取付けコネクタを設ける。
【００１６】
図４の符号３３は車両記憶装置である。この記憶装置に車両の走行距離、燃料残量、車両管理情報、所有者情報、運転者情報などの基本情報を記憶させておく。また、音楽ディスク及びＤＶＤディスの挿入口および、データの読み取り機能を持たせておく。
【００１７】
図３の符号２２は車両側のＰＤＡ取付け機構である。
【００１８】
運転者は、車両に乗った時、符号３ＰＤＡ側の車両ステー接続用コネクタ（メス）を符号２３車両側のＰＤＡ接続用コネクタ（オス）に合わせ、差し込みながら符号２２車両側のＰＤＡ本体取り付け機構（メス）に符号１２ＰＤＡ本体側の車両ステー固定機構（メス）に合わせてセットする。
【００１９】
車両にセットが完了後、図１ＰＤＡより符号３接続用コネクタ、符号２３より車両側の記憶装置から車体情報を読み込み、ＰＤＡにより車両管理データ処理を行う。この時、ＰＤＡ内の個人情報データの電動シート情報により、車両の電動シートを動作させ、自動的にシート位置をセットする。また、図１ＰＤＡはＰＤＡの個人認証システムにより第三者の使用を制限することで、車両管理のセキュリティを向上することができる。
【００２０】
カーナビゲーションとしての利用は、地図データを符号３３車両側外部記憶装置に記憶またはメディアディスクに記録させ、表示機能、検索機能、渋滞情報機能およびルートデータを図１ＰＤＡに記憶させ使用する。この時、ルートデータは図１ＰＤＡに記憶させているので、運転者が変わり、別のＰＤＡをセットすることで使用者ごとのルート設定の変更をしないですむ。運転時は、従来技術と同様に事故防止のため、操作を出来なくする。操作も従来カーナビゲーションシステム同様液晶画面の符号２タッチパネル操作で行う。
【００２１】
音楽プレーヤーとしては、符号３３車両側外部記憶装置に音楽を記憶したメディアを挿入し読み込んだ音楽データを符号３接続用コネクタ、符号２３を介して図１ＰＤＡの音楽再生ソフトで再生し、車両スピーカーによって音を出します。また、図１ＰＤＡ本体に記憶させている、音楽デジタルデータについても車両スピーカーによって音をだすことができる。
【００２２】
車両を降りる時は、車両側の記憶装置にデータ更新を行い、エンジンをＯＦＦ。その後、ＰＤＡを取外し、通常のＰＤＡとして持ち運び使用することができる。
【００２３】
車両管理について、ＰＤＡの通信機能を利用しメーカーからの、リコール情報、電子制御ソフトの更新情報を取得する。符号３３車両側外部記憶装置の情報とマッチングさせ、リコール及び電子制御ソフトの更新が必要かを判断し、音声または画面にて運転者へ知らせ修理を促す。また、車検及び、法令点検情報についても符号３３車両側外部記憶装置より呼びだし、検査時期が近づくと音声または画面にて運転者へお知らせする。
【００２４】
本発明の実施する為の形態は、取り付けステー及び外部記憶装置について、外付けシステムとして説明したが、現在車両にはカーナビゲーションシステムや音楽プレーヤーなどを取り付ける専用スペースがあり、このスペースに収納する構造にしてもよい。
【００２５】
図７は２ＤＩＮタイプのインダッシュボードの概図である。符号６１はＰＤＡ接続用コネクタ（オス）である。符号６２はストッパーである。符号６３はＰＤＡ固定用ツメである。符号７１は外部記憶装置である。
【００２６】
図８、図９はＰＤＡ取り付け図である。まず、ＰＤＡの符号３車両接続用コネクタ（メス）を符号６１ＰＤＡ接続用コネクタに差し込む。図９のようにＰＤＡの上部をインダッシュ側に倒し符号６２ストッパーにあたるまで押し込み、インダッシュ側の符号６３ツメと符号６２ストッパーに挟まれ固定する。図１０はＰＤＡをインダッシュに設置した状態の図である。
【００２７】
ＰＤＡがインダッシュに設置が完了すると車両側より、電源が供給され、符号６１及び符号３の接続コネクタよりデータの通信を行う。
【００２８】
設置後の動作はステー取付けと同じ動作になる。
【符号の説明】
【００２９】
１    ＰＤＡ本体
２    ＰＤＡ液晶・タッチパネル
３    車両ステー接続用コネクタ（メス）
１１  ＰＤＡ本体
１２  車両ステー固定機構（メス）
２１  車両ステー本体
２２  ＰＤＡ本体固定機構（オス）
２３  ＰＤＡ接続用コネクタ（オス）
２４  車両ステー取り付け台
３１  車両ステー
３２  車両記憶装置との通信ケーブル
３３  車両記憶装置
４１  ＰＤＡ本体
４２  車両ステー
５１  ＰＤＡ本体
５２  車両ステー
６１  ＰＤＡ接続用コネクタ(オス)
６２  ストッパー
６３  ツメ
７１  外部記憶装置
【図１】
2011231532.tif 000003
【図２】
2011231532.tif 000004
【図３】
2011231532.tif 000005
【図４】
2011231532.tif 000006
【図５】
2011231532.tif 000007
【図６】
2011231532.tif 000008
【図７】
2011231532.tif 000009
【図８】
2011231532.tif 000010
【図９】
2011231532.tif 000011
【図１０】
2011231532.tif 000012